(57)【特許請求の範囲】
【請求項１】
側面部に開口部を有し、且つ両端面部に回転軸を突設した略筒形のバレル本体部と、当該開口部に枢着した自重で開閉する内開きの蓋とを備え、
蓋は蓋の開閉を規制する蓋レバーを有し、
バレル本体部の回転軸の一方の端面部にはガイドカムと中継カムとを同軸に設けてあり、
ガイドカムの外周の一部には軸方向に凹部を形成したガイド側凹部を有し、
中継カムの外周の一部には軸方向に凹部を形成した中継側凹部を有し、
蓋レバーの先端はガイドカム及び中継カムの外周面部に沿って移動し、中継カムの回動によりガイド側凹部と中継側凹部との位置が重なった際に当該凹部に蓋レバーの先端が蓋の自重にて落とし込まれるようになっていることを特徴とする内開きバレル。
【請求項２】
ガイドカムのガイド側凹部を、中継カムの中継側凹部以外の外周面部でふさぐ方向に中継カムが弾性付勢されていることを特徴とする請求項１記載の内開きバレル。
【請求項３】
請求項２記載のバレルを用いたバレル装置であって、
バレルを所定の位置に移載又は移動した際に、ガイドカムはバレル本体とのとも廻りを防止した固定手段を有し、
中継カムの中継側凹部がガイドカムのガイドカム側凹部と一致するように当該中継カムを回動する回動手段を有していることを特徴とするバレル装置。
【発明の詳細な説明】
【技術分野】
【０００１】
本発明は、めっきや化成処理などの表面処理に用いるバレルに関する。
【背景技術】
【０００２】
めっきやクロメート処理などの表面処理加工をネジなどの小物のワークに施すために、バレルが広く用いられている。
この種のバレルは、一般にワークが通過しない程度の大きさの多孔を有する円筒形や多角筒形のバレルをフレーム体に回転駆動するように取り付けて、被処理ワークをバレル本体内に投入し、バレル本体毎処理液に浸漬させ、回転や揺動運転してワークに表面処理加工する。
しかし、ワークを出し入れするためのバレル開閉蓋の開閉は通常人手で行っていて多大な労力を必要としていた。
特開平７−３４２９８号公報は蓋のロック機構を設け、バレルの回転に伴って蓋を自重で開閉させる技術を開示するが、ロック機構とその駆動装置が必要で複雑で高価である。  また、実開平３−３０２６７号公報はバレルの回転方向に応じて蓋を自重で開閉する技術を開示するが、バレルの一回転毎に蓋が自重で開閉動作するため、特に乾燥工程など液中にない場合には、その開閉の衝撃が大きく、音が大きいだけでなく、蓋の開閉の耐久性にも問題が生じやすい。  
【０００３】
【特許文献１】特開平７−３４２９８号公報
【特許文献２】実開平３−３０２６７号公報
【発明の開示】
【発明が解決しようとする課題】
【０００４】
本発明は上記技術的課題に鑑みて、蓋の自重を利用した内開き構造でありながら、必要なときにのみ蓋が開き、回転時の静粛性に優れ、蓋開閉の耐久性にも優れるバレルを提供することを目的とする。
【課題を解決するための手段】
【０００５】
本発明に係るバレルは、側面部に開口部を有し、且つ両端面部に回転軸を突設した略筒形のバレル本体部と、当該開口部に枢着した自重で開閉する内開きの蓋とを備え、蓋は蓋の開閉を規制する蓋レバーを有し、バレル本体部の回転軸の一方の端面部にはガイドカムと中継カムとを同軸に設けてあり、ガイドカムの外周の一部には軸方向に凹部を形成したガイド側凹部を有し、中継カムの外周の一部には軸方向に凹部を形成した中継側凹部を有し、蓋レバーの先端はガイドカム及び中継カムの外周面部に沿って移動し、中継カムの回動によりガイド側凹部と中継側凹部との位置が重なった際に当該凹部に蓋レバーの先端が蓋の自重にて落とし込まれるようになっていることを特徴とする。
【０００６】
ガイドカムと中継カムは、自重で揺動しようとする蓋レバーの先端側に対して、それぞれが板カムとして作用するように回転軸に軸着する。
ガイドカムと中継カムの外周面部の形状は、バレル本体部の開口部に内開きに枢着した蓋が自重でバレル内側に垂下して開こうとする際に、蓋レバー先端にいずれかの外周面部が干渉することで蓋閉じ状態を保持できる形状とする。
これにより、ガイドカムと中継カムの外周面部を回転軸の軸周方向に連続させることで、バレル本体部の回転時に蓋閉状態を全周にわたって保持できる。
また、ガイドカムと中継カムの凹部の形状は、互いの凹部位置をほぼ上向きに開口して合わせることで蓋レバー落とし込み用の落とし込み凹部を形成し、バレル本体部を相対的に回動することで上方に移動した蓋が自重でバレル内側に垂下して開こうとする際の蓋レバー先端側を落とし込み凹部内に落とし込んで蓋を垂下状態にできるものとする。
そして、落とし込み凹部の縁部の形状は、落とし込んだ蓋レバー先端側を、更にバレル本体部を相対的に回動することで案内して、蓋をバレル本体部の回動方向に応じて揺動して開いてたり、あるいは閉じたりして、いずれかの外周面部に蓋レバーの先端側を乗り上げさせる形状とする。
これにより、落とし込み凹部に蓋レバーを落とし込ませて、相対的にバレル本体部を回動することで蓋の開閉状態を切り替えることができる。
【０００７】
請求項２記載の発明に係るバレルは、ガイドカムのガイド側凹部を、中継カムの中継側凹部以外の外周面部でふさぐ方向に中継カムが弾性付勢されていることを特徴とする。
ガイドカムと中継カムの互いの外周面部を周方向に連続させた状態を弾性体の弾性付勢力で保持することで、バレルを連続回転する際に蓋を閉じた状態を連続的に保持できるようになる。
【０００８】
請求項３記載の発明に係るバレル装置は、請求項２記載のバレルを用いたバレル装置であって、バレルを所定の位置に移載又は移動した際に、ガイドカムはバレル本体とのとも廻りを防止した固定手段を有し、中継カムの中継側凹部がガイドカムのガイドカム側凹部と一致するように当該中継カムを回動する回動手段を有していることを特徴とする。
【０００９】
ガイドカムがバレル本体ととも廻りしないように固定する手段としては、バレル本体部をバレル装置の回転駆動部に載置する際にガイドカムにガイドピンを設けて、このピンで回動を固定する例が挙げられ、中継カムを回動する回動手段としては、バレル装置から立設した押し込みバーの先端に当接する作動部を設ける例が挙げられる。
【００１０】
他の例としては、バレル本体部を回動自在に受けて、且つ、ガイドカムに当接してガイドカムの回動を固定し、バレルを取り付けるホルダーと、ホルダーを移動させてバレルを移動する移動機構と、バレルが移動することで中継カムに当接して中継カムの回動を案内する回動ガイド部とを有する構造でもよい。
【００１１】
回動ガイド部は、例えば中継カムに設けた作動部に対して、バレルが例えばホルダを取り付けた駆動チェーンなどの移動機構で移動することで、ガイドレール状に作動部に当接しつつ移動方向に対する斜面により中継カムを回動させるように案内する構造が考えられる。
【００１２】
あるいは、ガイドカムに当接してガイドカムの回動を固定してバレルを取り付けるホルダーと、ホルダーを移動させてバレルを移動する移動機構と、駆動することで中継カムに当接して中継カムを回動させる駆動アームとを有する構造でもよい。
【００１３】
駆動アームは、例えば中継カムに設けた作動部に対して、中継カムを回動させるように作動部を押し込む構造が考えられる。
【発明の効果】
【００１４】
本発明に係るバレルにおいては、バレル加工時にはガイドカムの外周面部と中継カムの外周面部とを周方向の全周に渡って連続させることで、蓋レバーの揺動をバレル本体部の回動角度に依らずに規制して蓋を閉じた位置で保持できるため、従来のようにバレルの一回転毎に蓋が開閉動作することがなく、蓋開閉数を低減して蓋開閉の耐久性を向上でき、また、バレル加工時の静粛性も向上する。
【００１５】
バレルの蓋の開閉は、中継カムの凹部をガイドカムの凹部に合わせるように回動して形成した落とし込み凹部へ蓋レバーを自重で落とし込み、バレル本体部の回動方向に応じて落とし込み凹部の縁部で蓋レバーを案内して行えるため、ガイドカムを固定して、中継カムを所定角度回動させて、バレル本体部を回動させるだけで簡単に行える。
よって、ワークの投入排出のためにバレル台を用いる場合には、バレル台への載置に伴ってガイドカムを固定して、中継カムを回動させて、バレル本体部を回動させるだけで蓋開閉を行えるため、従来のような複雑な蓋開閉のための駆動機構を設けずに、低コストにワークの投入排出を行える。
【００１６】
また、バレルをチェーン移送するバレル装置においては、バレルの移動に伴って中継カムに当接して回動方向に案内することで中継カムを回動したり、突当などの簡単な駆動により中継カムを回動し、バレル本体部を回動するだけでバレルの蓋の開閉を行えるため、バレル装置をシンプルで安価にできる。
【発明を実施するための最良の形態】
【００１７】
図１は本発明に係るバレル１０の斜視説明図を示し、図１（ａ）は蓋３０を閉じた状態を示し、図１（ｂ）は蓋３０が自重で開くようになった状態を示す。
バレル１０のバレル本体部２０は、断面六角形の筒形の例を示し、側面部２０ａと両端の端面部２０ｂからなり両端面部２０ｂから外向きに回転軸２１を突設してある。
バレル本体部２０は側面部２０ａに回転軸２１に対して直角方向の開口部２３を設けてある。
開口部２３は開口部２３の縁部２３ａに設けてあるヒンジ部２４により、蓋３０の一側辺に設けてある蓋軸３４を縁部２３ａに枢着して蓋３０が内側に開閉するようになっている。
この蓋軸３４は回転軸２１と平行で、バレル本体部２０の外側まで延出部３４ａで延出してあり、延出部３４ａから回転軸２１側に蓋レバー３２を延出して設けてある。
蓋３０は、バレル本体部２０の内側において開き方向と閉じ方向のそれぞれの所定範囲を揺動可能で、蓋レバー３２を蓋軸３４の周方向に揺動することで蓋軸３４を介して揺動する。
バレル１０は分かりやすくするために、回転軸２１の両端部を取り除いて描いてある。
蓋レバー３２を設けた側には回転軸２１の蓋レバー３２に対応する位置に、回転軸２１方向に並べてガイドカム４０と中継カム５０とを有している。
後述するように自重で下がる蓋レバー３２に対して板カム状に作用するように、回動自在に軸着してある。
ガイドカム４０と中継カム５０とはスプリングなどの弾性体１３で連結してあり、相対的な回動方向を弾性付勢してある。
蓋レバー３２を設けていない側の回転軸２１には、外部からの駆動力を受けてバレル１０を回動させるための歯車２２が設けてあり、バレル１０は回転軸２１を装置の取付け部品（図示省略）などに軸着して歯車２２を正逆回転駆動することでバレル本体部２０を回動させる。
【００１８】
図２はバレル１０を分解して回転軸２１の方向から見た模式図を示す。
図ではわかりやすくするため、蓋３０は厚く描き、開口部２３を想像線で描いてある。
ガイドカム４０は、概ね円板状になっていて、ベース部４１の外周部の一部を回転軸２１側に凹ませたガイド側凹部４３を形成してあり、凹ませてない外周部はガイド外周面部４２となっている。
また、軸孔４５にて回転軸２１に軸着してある。
ベース部４１の板面４１ａには、回転軸２１に対する軸対称位置に一対の固定ピン４４を回転軸２１と平行に突設し、弾性体１３の端部を連結した弾性体連結部４６を設けてある。
中継カム５０は、概ね円板状のベース部５１に、回転軸２１の周方向の円弧形の中継外周面部５３を設けた中継部５２と、中継外周面部５３から回転軸２１の側に凹ませた中継側凹部５４と、ガイドカム４０の固定ピン４４を通すためにベース部５１を貫通した挿通溝５５と、回転軸２１に軸着するための軸孔５７とを設けてある。
ベース部５１の板面５１ａには、弾性体１３の端部を連結した弾性体連結部５８と作動部５６とを設けてある。
ガイドカム４０と中継カム５０は、回転軸２１に軸着した状態でガイド外周面部４２と中継外周面部５３とが同径となる円弧形に形成してあり、その円弧形の径の大きさは、蓋３０が自重でバレル本体部２０の内側に開こうとするのを規制して蓋閉じ状態を保持できるように設定してある。
これにより、後述するようにガイド側凹部４３を中継カム５０の中継外周面部５３でふさぐと、バレル本体部２０の回転時に蓋３０が閉じた状態を全周にわたって保持できる。
中継カム５０は、ガイド外周面部４２と中継外周面部５３とを周方向に連続させるために、ガイド側凹部４３部分に位置した中継部５２の中継外周面部５３がガイド外周面部５３の円弧形の両端に跨り掛け渡すものであればよいが、図ではわかりやすくするために中継外周面部５３の弧長を長く描いてある。
ガイドカム４０のガイド側凹部４３と、中継カム５０の中継側凹部５４は、回転軸２１の軸方向視におけるガイド側凹部４３の位置と中継側凹部５４の位置を、ガイドカム４０を回動することで一致させると、上向きに開口する落とし込み凹部１２を形成する。
この落とし込み凹部１２は、後述するようにバレル本体部２０の回動により蓋レバー３２の先端側を自重で落とし込み、更にバレル本体部２０をいずれかの方向に回動することで蓋の開閉状態を切り替えるように作用する。
ガイドカム４０と中継カム５０は、弾性体１３を概ね回転軸２１の周方向に張設するようにして互いに連結してあり、中継カム５０の中継側凹部以外の部分でガイドカム４０のガイド側凹部をふさぐ方向に回動するように弾性付勢してある。
挿通溝５５は回転軸２１を中心とする円弧形に設けてあり、固定ピン４４を通した状態でガイドカム４０に対して中継カム５０を所定範囲回動できる。
固定ピン４４はバレル本体部とガイドカムがとも廻りするのを防止するために用いるもので、バレル台やチェーンボルダで固定する。
【００１９】
図３はガイドカム４０と中継カム５０の動作説明図を示し、図３（ａ）は中継カム５０が弾性体１３により引き寄せられて落とし込み凹部に形成されていない状態を示し、図３（ｂ）は中継カム５０が弾性体勢に抗して図３では右側に回動し、落とし込み凹部１２が形成された状態を示す。。
図３（ａ）に示す状態では、中継カム５０は弾性体１３に弾性付勢されることで中継部５２がガイド側凹部４３に突出するように回動して、ガイドカム４０に設けたストッパー４７に、中継カム５０の中継部５２に設けたストッパー受け部５９が突き当たっている。
これにより、ガイド側凹部４３位置においてガイド外周面部４２と中継外周面部５３とが連続し、回転軸２１の周方向にガイド外周面部４２と中継外周面部５３とを合わせた周面１１が切れ目無く連続して形成する。
ガイド外周面部４２と中継外周面部５３とが連続的につながり、その外周に沿って蓋レバー３２の案内子３３が摺動し、蓋が開かない。
蓋３０は、蓋縁部３１が開口縁部２３ａの内側にほぼ突き当たった状態で、バレル本体部２０が回転する。
図４は、蓋３０を閉じた状態でバレル本体部２０を回転駆動した状態を示す。
図３（ｂ）に示すように中継カム５０は、作動部５６に回動方向の力を加えると、弾性体１３の弾性付勢力に抗しつつ回動する。
中継カム５０を回動してガイド側凹部４３と中継側凹部５４の位置が一致する位置で中継カム５０の回動が制限されるように固定ピン４４と挿通溝５５との位置関係を設定してある。
従って、固定ピン４４はガイド側凹部４３の方向を定める役割も有している。
そのような状態になると、上方に開口する落とし込み凹部１２を形成する。
この落とし込み凹部１２には、バレル本体部２０を回動することで図３（ｃ）に示すように蓋レバー３２の先端側を自重で垂下するように落とし込むことが出来る。
落とし込み凹部１２の深さは蓋レバー３２の先端が左右に揺動できる深さである。
蓋レバー３２の先端側を落とし込み凹部１２に落とし込むと、蓋レバー３２と周面１１との干渉による蓋３０の規制を解除できるため、バレル本体部２０を回動して落とし込み凹部１２の縁部１２ａで蓋レバー３２の先端側を案内して、蓋３０をバレル本体部２０の回動方向に応じて開き方向や閉じ方向に揺動して、周面１１に蓋レバー３２の先端側を乗り上げさせて蓋３０の開閉状態の切替ができる。
落とし込み凹部１２は、蓋レバー３０の先端側を自重で落とし込めるように上方に開口する必要がある。
このため、固定ピン４４は、ガイドカム４０のガイド側凹部４３と、中継カム５０の中継側凹部５４が、ガイド側凹部４３が上方に開口した状態で一致するように設定するものであり、バレル本体部が移動する場合には固定ピンを位置決めする手段がいる。
【００２０】
図５は蓋３０を閉じた状態から開いた状態に切り替える動作の説明図を示す。
図５（ａ）に示すように中継カム５０を回動し、落とし込み凹部１２を形成した状態でバレル本体部２０を回動し、図５（ｂ）に示すように蓋レバー３２の先端側を落とし込み凹部１２に落とし込み、図５（ｃ）に示すように開口部２３に対して蓋軸３４を設けていない方向にバレル本体部２０を回動し、落とし込み凹部１２の縁部１２ａで蓋レバー３２の先端側を案内して蓋レバー３２を揺動させることで蓋３０を開き方向に揺動する。
そして、更にバレル本体部２０を回動することで図５（ｄ）に示すように蓋レバー３２の案内子３３をガイド外周面部４２へと乗り上げて蓋３０を開き、開口部２３が開口した状態になる。
図５（ｄ）に示す状態は、内側に開いた蓋３０が閉じるのを、蓋レバー３２と周面１１との干渉で規制される。
これにより、図５（ｅ）、図５（ｆ）、図５（ｇ）に示すようにバレル本体部２０は蓋レバー３２と周面１１との干渉で蓋３０が閉じる方向の揺動が規制される範囲内においては、この干渉による規制や、自重で蓋３０がバレル本体部２０の内面に支持されることで、蓋３０を開いた状態のまま回動できるようになり、バレル本体部２０を回動して開口部２３の角度を変えてワークの投入や排出を行える。
そして、図５（ｈ）に示すように弾性体１３の付勢にて中継カム５０が回動復帰すると図６に示すように蓋３０を開いた状態のまま全周に渡ってバレル本体部２０を回動できるようになる。
【００２１】
図７は蓋３０を開いた状態から閉じた状態に切り替える動作の説明図を示す。
図７（ａ）に示すように中継カム５０を回動し、落とし込み凹部１２を形成した状態でバレル本体部２０を回動し、図７（ｂ）に示すように、蓋レバー３２の先端側を落とし込み凹部１２に落とし込んで、バレル本体部２０を開口部２３に対する蓋軸３４の側に回動する。
これにより、落とし込み凹部１２の縁部１２ａで蓋レバー３２を先端部を案内しつつ、図７（ｃ）に示すように蓋レバー３２の案内子３３を周面１１へと乗り上げて蓋３０を閉じた状態とする。
そして、図７（ｄ）に示すように中継カム５０を回動復帰させると、図４に示すように蓋３０を閉じた状態でバレル本体部２０を連続回転できるようになる。
【００２２】
図８は、バレル１０を載せるバレル台６０を用いて中継カム５０を回動させる構造の説明図を示す。
図８（ａ）はクレーン（図示省略）などでバレル１０をバレル台６０に移載する直前の状態を示し、図８（ｂ）はバレル１０をバレル台６０に移載した状態を示す。
バレル台６０は、回転軸２１を受ける回転軸受け部６１と、固定ピン用受け部６２と、押込みバー６３とを有している。
固定ピン用受け部６２は、回転軸２１を回転軸受け部６１で受けた状態で固定ピン４４を受けることで、固定ピン４４が位置を固定し、ガイドカム４０が回動しないようになる。
押込みバー６３は、バレル１０を上方からバレル台６０に向けて移動する際に、中継カム５０の作動部５６をバレル１０の降下に伴って弾性体１３の弾性付勢力に抗しつつ押し込んで中継カム５０を回動し、これにより、バレル１０をバレル台６０に載せた状態で中継カム５０を所定角度回動して落とし込み凹部１２を形成した状態にする。
バレル１０はバレル台６０に載せることで駆動源（図示省略）によりバレル本体部２０を回動可能とすることで、蓋３０の開閉を行い、例えば開口部の角度を変えてワークの投入や排出などを行うことができる。
【００２３】
図９は、バレル１０の移動経路に合わせたガイドレール７１を設けて、中継カム５０を回動させるバレル装置構造の説明図を示す。
図９（ａ）に示すようにバレル１０は、先端に案内子５６ｂを有するアーム状受け部５６ａを中継カム５０に設けてある。
図９（ｂ）に示すように、バレル１０は駆動チェーン７２に設けたホルダ７３に、バレル本体部２０を回動自在にするように回転軸２１を軸支して、且つ、固定ピン４４を位置固定して取り付けてあり、駆動チェーン７２が駆動することで移動する。
図１０に示すようにバレル装置７０は、例えばワークの投入排出位置と処理槽（図示省略）などの加工位置との間をバレル１０が斜めに往復移動するように駆動チェーン７２を張設してある。
駆動チェーン７２の配設方向にはガイドレール７１を設けてあり、図９（ｃ）に示すようにバレル１０が駆動チェーン７２の駆動によって移動することにより、ガイドレール７１の案内部７１ａでアーム状作動部５６ａの案内子５６ｂを傾斜案内して、中継カム５０を回動する。
そして、ワークの投入排出位置にバレル１０が位置することで、例えば回転軸２１に設けた歯車２２に噛み合わせた歯車などの駆動源７４を駆動して、蓋３０の開閉のためのバレル本体部２０の回動を行う。
【００２４】
図１１は、蓋３０の開閉位置に簡単な駆動アーム７５を設けて蓋３０を開閉するバレル装置構造の説明図を示す。
バレル１０は、図１１（ａ）に示すようにバレル１０の移動に干渉しないように退避してあった駆動アーム７５を、図１１（ｂ）に示すようにバレル１０に向けて突出して、駆動アーム７５の駆動により作動部５６を中継カム５０の回動方向に押すことで、中継カム５０が所定角度回動した状態にする。
そして、ワークの投入排出位置において、例えば回転軸２１に設けた歯車２２に噛み合うように配設してあるチェーンなどの駆動源７４により蓋３０の開閉のためのバレル本体部２０の回動を行う。
この駆動アーム７５による中継カム５０の駆動は、移動するバレル１０の移動経路の任意の位置で容易に行える。
このため、図１２（ａ）に示すように例えばガイドカム４０に複数のガイド側凹部４３を設けて、中継カム５０にはガイド側凹部４３に対応する複数の中継部５２と中継側凹部５４とを設けて、図１２（ｂ）に示すように中継カム５０の駆動により複数の落とし込み凹部１２を形成するものとして、落とし込み凹部１２のいずれかが移動経路における蓋３０の開閉位置において上方となる位置に形成されるものとすることで、図１２（ｃ）に示すように例えばバレル１０を周回移動させるバレル装置８０のバレル１０の移動経路の複数の位置で蓋３０の開閉動作を行える。
【００２５】
図１３は、ガイドカム４０と中継カム５０の径が異なる場合の説明図で、中継カム５０がガイド側凹部４３を塞いだ状態で、回転軸の横方向からガイド側凹部４３付近を見た状態を示す。
中継カム５０が、ガイドカム４０より径が小さい場合には、蓋レバー３２の案内子３３は、ガイドカム４０に対応させたガイドカム案内部３３ａと、中継カム５０に対応させた中継カム案内部３３ｂとを、段付形状にすればよいのでガイドカム４０と中継カム５０とは外径が必ずしも同じである必要はない。
中継カム５０は、ガイド側凹部４３に対応する位置に中継外周面部５３を回動することで、ガイド側凹部４３の位置における中継カム案内部３３ｂの移動を中継外周面部５３で案内して、バレル本体の回転駆動時に蓋閉じ状態を保持できればよい。
このため、中継カム５０はガイド側凹部４３を完全に塞ぐものでなくてもよい。
【００２６】
図１の実施例では、中継カムをバネで引っ張ることで、ガイド側凹部を塞ぐようにしたが、例えば図１４（ａ）に示すように中継カム５０に重り７６を設けて、通常は重り７６の重量で中継カム５０がガイド側凹部を塞ぎ、蓋３０の開状態の切替時には、図１４（ｂ）に示すように作動部５６を重り７６の重量に抗しつつ押し込んで中継カム５０を回動して、落とし込み凹部１２を形成した状態にすることも考えられる。
【図面の簡単な説明】
【００２７】
【図１】本発明に係るバレルの斜視説明図を示す。
【図２】バレルを分解して回転軸の方向から見た模式図を示す。
【図３】ガイドカムと中継カムの動作説明図を示す。
【図４】蓋を閉じた状態でバレル本体部を回転駆動した状態を示す。
【図５】蓋を閉じた状態から開いた状態に切り替える動作の説明図を示す。
【図６】蓋を開いた状態でバレル本体部を回転駆動した状態を示す。
【図７】蓋を開いた状態から閉じた状態に切り替える動作の説明図を示す。
【図８】バレル台を用いて中継カムを回動させる構造の説明図を示す。
【図９】バレルの移動経路に合わせたガイドレールを設けて中継カムを回動させるバレル装置構造の説明図を示す。
【図１０】ガイドレールを設けたバレル装置の説明図を示す。
【図１１】蓋の開閉位置に簡単な駆動アームを設けて蓋を開閉するバレル装置構造の説明図を示す。
【図１２】駆動アームを設けたバレル装置の説明図を示す。
【図１３】ガイドカムと中継カムの径が異なる場合の説明図を示す。
【図１４】中継カムに重りを設けた状態の説明図を示す。
【符号の説明】
【００２８】
１０    バレル
１１    周面
１２    落とし込み凹部
１２ａ  縁部
１３    弾性体
２０    バレル本体部
２０ａ  側面部
２０ｂ  端面部
２１    回転軸
２２    歯車
２３    開口部
２３ａ  開口縁部
２４    ヒンジ部
３０    蓋
３１    蓋縁部
３２    蓋レバー
３３    案内子
３３ａ  ガイドカム案内部
３３ｂ  中継カム案内部
３４    蓋軸
３４ａ  延出部
４０    ガイドカム
４１    ベース部
４１ａ  板面
４２    ガイド外周面部
４３    ガイド側凹部
４４    固定ピン
４５    軸孔
４６    弾性体連結部
４７    ストッパー
５０    中継カム
５１    ベース部
５１ａ  板面
５２    中継部
５３    中継外周面部
５４    中継側凹部
５５    挿通溝
５６    作動部
５６ａ  アーム状作動部
５６ｂ  案内子
５７    軸孔
５８    弾性体連結部
５９    ストッパー受け部
６０    バレル台
６１    回転軸受け部
６２    固定ピン用受け部
６３    押込みバー
７０、８０  バレル装置
７１    ガイドレール
７１ａ  案内部
７２    駆動チェーン                                        
７３    ホルダ
７４    駆動源
７５    駆動アーム
７６    重り
【図１】
0004963290.tif 000002
【図２】
0004963290.tif 000003
【図３】
0004963290.tif 000004
【図４】
0004963290.tif 000005
【図５】
0004963290.tif 000006
【図６】
0004963290.tif 000007
【図７】
0004963290.tif 000008
【図８】
0004963290.tif 000009
【図９】
0004963290.tif 000010
【図１０】
0004963290.tif 000011
【図１１】
0004963290.tif 000012
【図１２】
0004963290.tif 000013
【図１３】
0004963290.tif 000014
【図１４】
0004963290.tif 000015